(57)【要約】      （修正有）【課題】蓋本体に形成された切欠部を介してスプーンを容器本体と一緒に収納できると共に、蓋部とリブとで囲まれた空間に水滴を保持して蓋に付着した水滴が蓋から垂れることがない様にした調理用容器を提供する。【解決手段】蓋本体１２は、板状でなり蓋本体１２がガラス製の容器本体に当接した際開口部の一部が露出するよう外周の一部分が切り欠かれた切欠部２２が形成された蓋部２８と、蓋本体１２が容器本体に当接した際容器本体における開口部の内側に位置し、開口部の縁に沿って周回する周回リブ２４と、切欠部２２の縁に沿う切欠リブ２６とが連なって蓋部２８から立設したリブ２０とを有する。【選択図】図３
0003173069.tif 000002
【実用新案登録請求の範囲】
【請求項１】
ガラス製で開口部を有する容器本体と前記開口部を覆うよう前記容器本体に当接する蓋本体とを具え、
前記蓋本体は、
板状でなり、前記蓋本体が前記容器本体に当接した際前記開口部の一部が露出するよう外周の一部分が切り欠かれた切欠部が形成された蓋部と、
前記蓋本体が前記容器本体に当接した際前記容器本体における前記開口部の内側に位置し、前記開口部の縁に沿って周回する周回リブと、前記切欠部の縁に沿う切欠リブとが連なって前記蓋部から立設したリブと、
を有する調理用容器。
【請求項２】
前記周回リブが前記切欠リブよりも高く立設している請求項１に記載の調理用容器。
【請求項３】
前記蓋部には、前記容器本体に収納されるスプーンにおける湾曲部の形状に対応した窪みが形成されている請求項１に記載の調理用容器。
【請求項４】
前記窪みは前記蓋部の外周近傍に形成されている請求項３に記載の調理用容器。
【請求項５】
前記周回リブにおける、前記蓋部から前記周回リブが立設する方向の先端部に切欠が形成されている請求項１に記載の調理用容器。
【考案の詳細な説明】
【技術分野】
【０００１】
本考案は、容器本体内部の被調理品を加熱調理する調理用容器に関する。
【背景技術】
【０００２】
従来、容器本体に蓋をして該容器本体内の被調理品を加熱調理する調理用容器が用いられている。このような調理用容器においては、蓋に切り欠きが形成され、該切り欠きを通して箸や杓子等の先端を容器本体内に収納するものがある（例えば、特許文献１参照）。
【先行技術文献】
【特許文献】
【０００３】
【特許文献１】特開２０１０−１８８１１０号公報
【考案の概要】
【考案が解決しようとする課題】
【０００４】
このような調理用容器において、使用者が蓋を容器本体から外す際、加熱調理したときに蓋に付着した水滴が蓋から垂れて周囲を濡らしてしまうおそれがあり、使い勝手が悪かった。
【０００５】
本考案は以上の点を考慮してなされたもので、格段と使い勝手を向上し得る調理用容器を提案しようとするものである。
【課題を解決するための手段】
【０００６】
かかる課題を解決するため本考案の調理用容器においては、ガラス製で開口部を有する容器本体と、開口部を覆うよう容器本体に当接する蓋本体とを具え、蓋本体は、板状でなり、蓋本体が容器本体に当接した際開口部の一部が露出するよう外周の一部分が切り欠かれた切欠部が形成された蓋部と、蓋本体が容器本体に当接した際容器本体における開口部の内側に位置し、開口部の縁に沿って周回する周回リブと、切欠部の縁に沿う切欠リブとが連なって蓋部から立設したリブとを設けるようにした。
【０００７】
この調理用容器は、蓋本体に形成された切欠部を介してスプーンを容器本体と一緒に収納できると共に、蓋部とリブとで囲まれた空間に水滴を保持することができる。
【考案の効果】
【０００８】
本考案によれば、蓋本体に形成された切欠部を介してスプーンを容器本体と一緒に収納できると共に、蓋部とリブとで囲まれた空間に水滴を保持することができる。かくして本考案は、使い勝手が良い調理用容器を実現できる。
【図面の簡単な説明】
【０００９】
【図１】第１の実施の形態による調理用容器の構成を示す略線的斜視図である。
【図２】第１の実施の形態による調理用容器の構成を示す略線的側面図である。
【図３】第１の実施の形態による蓋本体及びスプーンの構成を示す略線的斜視図である。
【図４】第１の実施の形態による蓋本体及びスプーンの構成を示す略線的側面図である。
【図５】第２の実施の形態による調理用容器の構成を示す略線的斜視図である。
【図６】第２の実施の形態による蓋本体及びスプーンの構成を示す略線的斜視図である。
【図７】他の実施の形態による蓋本体の構成を示す略線的斜視図である。
【図８】他の実施の形態による蓋本体の構成を示す略線的斜視図である。
【図９】他の実施の形態による蓋本体の構成を示す略線的斜視図である。
【考案を実施するための形態】
【００１０】
本考案に係る調理用容器の実施の形態を図面を参照して説明する。この実施の形態は単なる例示であり、本考案はこれに限定されない。
【００１１】
＜第１の実施の形態＞
図１及び図２に示すように、調理用容器１は、上端に円形の開口部３０を有するマグカップでなる容器本体１０と、該容器本体１０の開口部３０に当接し該開口部３０を塞ぐ蓋本体１２とにより構成されている。
【００１２】
調理用容器１は、例えばスープの素と水とが容器本体１０内部に投入され蓋本体１２で該容器本体１０の開口部３０を塞がれ電子レンジで加熱されることにより、スープを作る用途に使用される。
【００１３】
また調理用容器１は、蓋本体１２の外周の一部に切欠部２２が形成され、容器本体１０にスプーン１４の先端を収容した状態で該スプーン１４を切欠部２２により避けつつ蓋本体１２を容器本体１０に載置することにより、スプーン１４を容器本体１０と一体にして保管される。
【００１４】
容器本体１０は耐熱ガラス製でなり、内壁で囲まれた内部に所定の容積を有し、上端に水平方向に沿った円形の開口部３０が形成されている。
【００１５】
スプーン１４は直線状の柄部１６と、該柄部１６の一端から延びる皿状の湾曲部１８とにより構成される。該スプーン１４は所謂先割スプーンでなり、湾曲部１８の先端に切れ込みが２本形成されることにより、使用者がスプーン１４を使用してスープを食べる際、スープの具材を拾い易くなるよう構成されている。切れ込みの本数は、３本でも４本でもよい。
【００１６】
図３に示すように、蓋本体１２は、容器本体１０から外されて上下に反転されテーブル等に載置された状態で、スプーン１４の湾曲部１８が置かれるように使用される。
【００１７】
蓋本体１２はポリプロピレンにより形成され、両面が平坦な面の円板形状でなる蓋部２８と、該蓋部２８から立設するリブ２０とが一体成形されている。
【００１８】
蓋部２８は、外周の一部が内周方向に向かって、スプーン１４の柄部１６が挿通可能な大きさで凹状に切り欠かれた切欠部２２が形成されている。
【００１９】
このため蓋本体１２は、電子レンジにおいて調理用容器１が加熱される際、切欠部２２を介して容器本体１０内部から外部へ水蒸気を放出することができる。
【００２０】
蓋部２８において容器本体１０の開口部３０の縁と当接する面（以下これを当接面３６とも呼ぶ）には、リブ２０が立設している。なお、蓋部２８における当接面３６と反対側の面を載置面３８とも呼ぶ
【００２１】
リブ２０は、容器本体１０の開口部３０の縁の内径よりもやや小さい外径で、蓋部２８の周方向に沿って周回するよう蓋部２８の当接面３６からほぼ垂直方向に立設する周回リブ２４と、切欠部２２における蓋部２８の内周側に沿って周回リブ２４と同じ高さで該周回リブ２４と連なって蓋部２８の当接面３６から立設する切欠リブ２６とにより構成されている。
【００２２】
このように蓋本体１２には、該蓋本体１２が裏返して載置された際、蓋部２８、切欠リブ２６及び周回リブ２４により囲まれた液体保持部３４が形成されている。
【００２３】
このため、加熱されたスープが入っている容器本体１０から使用者が蓋本体１２を外す際、蓋部２８の当接面３６に付着した水分は、切欠リブ２６及び周回リブ２４により、外部へ流出されることを妨げられ、液体保持部３４内に留まることとなる。
【００２４】
また蓋本体１２が容器本体１０に載置された際、蓋本体１２は、容器本体１０に対し水平方向にある程度の遊びを持ちつつ遊嵌している。蓋本体１２は、所定距離以上容器本体１０に対し水平方向に位置ずれすると、周回リブ２４の外側面が容器本体１０の開口部３０の縁の内壁に当接するため、蓋本体１２が容器本体１０から滑り落ちることがない。
【００２５】
さらに、リブ２０が途切れることなく連なって、蓋部２８に対して外周部付近に沿って立設しているため、切欠部２２に切欠リブ２６が存在しない場合と比較して、蓋本体１２が加熱された際の変形をより防ぐことができる。
【００２６】
さらに蓋部２８の載置面３８が平坦に形成されているため、使用者は、載置面３８を下にしてテーブル等に安定的に載置できると共に、複数の調理用容器１を上下方向に重ねて保管することができる。
【００２７】
ここで、図４に示すように、蓋部２８からのリブ２０の高さＨＲは、スプーン１４が直線状の柄部１６を有する場合、湾曲部１８の下端部から柄部１６までの高さＨＳよりも高い方が望ましい。
【００２８】
その場合、スプーン１４の柄部１６が蓋本体１２の外部から液体保持部３４に向かって下がるようリブ２０に置かれるため、湾曲部１８にスープが残留しているとき、該スープが柄部１６を伝って蓋本体１２の外部に流出してしまうことを防止することができる。
【００２９】
また、スプーン１４の湾曲部１８は先割れしているため、スープの具材を拾い易いが、液体保持部３４にスプーン１４を載置した際、その分湾曲部１８からスープが液体保持部３４に流出し易い。そのような場合でも、蓋本体１２は、スープが外部に流出してしまうことをリブ２０により防止することができる。
【００３０】
以上の構成によれば、蓋本体１２は、板状でなり蓋本体１２がガラス製の容器本体１０に当接した際開口部３０の一部が露出するよう外周の一部分が切り欠かれた切欠部２２が形成された蓋部２８と、蓋本体１２が容器本体１０に当接した際容器本体１０における開口部３０の内側に位置し、開口部３０の縁に沿って周回する周回リブ２４と、切欠部２２の縁に沿う切欠リブ２６とが連なって蓋部２８から立設したリブ２０とを有するようにした。
【００３１】
これにより調理用容器１は、蓋本体１２に形成された切欠部２２を介してスプーン１４を容器本体１０と一緒に収納できる。さらに調理用容器１は、周回リブ２４だけでなく、切欠部２２の縁に沿って切欠リブ２６を設けたため、蓋部２８、周回リブ２４及び切欠リブ２６で囲まれた液体保持部３４に水滴を保持し、外部に流出しないようにすることができる。
【００３２】
＜第２の実施の形態＞
図５に示す第２の実施の形態による調理用容器１０１は、第１の実施の形態による調理用容器１（図１）と比べて、蓋本体１１２が蓋本体１２と異なっているものの、それ以外は同様に構成されている。
【００３３】
蓋本体１２においては、周回リブ２４と切欠リブ２６とは同一の高さで蓋部２８から立設したが、蓋本体１１２は、周回リブ１２４が切欠リブ２６よりも高く立設している。一方切欠リブ２６は、蓋本体１２の切欠リブ２６と同様の高さで蓋部２８から立設している。
【００３４】
これにより、調理用容器１と比べてさらに水滴及びスープが蓋本体２１２の外部に流出することを防止できる。また、切欠リブ２６は、蓋本体１２の切欠リブ２６と同様の高さであるため、該切欠リブ２６の高さは周回リブ１２４の高さよりも低く形成されており、スプーン１４を容器本体１０と一体にして調理用容器１０１を収納する際、スプーン１４を容器本体１０に入れるときの支障になることはない。
【００３５】
＜他の実施の形態＞
なお、上述した実施の形態においては、液体保持部３４における当接面３６が平坦に形成されている場合について述べたが、これに限らず、図７に示す蓋本体２１２のように、当接面３６の中央部分に、スプーン１４（図３）の湾曲部１８と同一形状に湾曲した窪みでなる窪み部２３０を刻設してもよい。
【００３６】
この場合、スプーン１４の湾曲部１８を窪み部２３０に嵌め込むことができることができるため、スプーン１４を液体保持部３４にさらに安定的に載置することができる。また、スプーン１４に残留したスープを窪み部２３０に留めることができるため、スープが液体保持部３４から外部に流出することを、より一層防止することができる。
【００３７】
また、図８に示す蓋本体３１２のように、窪み部３３０を当接面３６の中央部分ではなく、外周部近傍に形成してもよい。
【００３８】
この場合、窪み部３３０に嵌め合うようにスプーン１４（図３）を載置する際、スプーン１４の柄部１６の大部分を液体保持部３４内部に入れることができるため、スプーン１４の柄部１６の根本が蓋本体１２の外部のテーブル等に接触してしまうことを防止できる。さらに、窪み部３３０に付着したスープや蒸気が凝集した水滴などが流れて集まるので、該窪み部３３０にスプーン１４の湾曲部１８の底が固定される。
【００３９】
また、図９に示す蓋本体４１２のように、周回リブ１２４の一部が欠けるようにリブ切欠部４３２を刻設してもよい。
【００４０】
この場合、スプーン１４の柄部１６をリブ切欠部４３２に嵌め込むことができるため、よりスプーン１４を安定して蓋本体４１２に載置できる。
【００４１】
さらに上述した実施の形態においては、蓋本体１２をポリプロピレンにより形成する場合について述べたが、これに限らず、例えばシリコーン、木材、ガラス等により形成してもよい。
【００４２】
さらに上述した実施の形態においては、容器本体１０の開口部３０と、蓋部２８と、周回リブ２４とを円形とする場合について述べたが、これに限らず、例えば楕円形、八角形等、種々の形状により構成してよい。
【００４３】
さらに上述した実施の形態においては、周回リブ２４は、容器本体１０の開口部３０の縁の内径よりもやや小さい外径で蓋部２８から立設する場合について述べたが、これに限らず、容器本体１０の開口部３０の内径とほぼ同一の外径を持つよう形成され、容器本体１０の開口部３０の内壁に対し接触し、該容器本体１０を密閉するようにしてもよい。
【００４４】
さらに上述した実施の形態においては、食事用器具としてスプーン１４を用いたが、フォーク等の他の食事用器具を使用する場合も同様に本発明を適用することができる。
【符号の説明】
【００４５】
１，１０１…調理用容器、１０…容器本体、１２，１１２，２１２，３１２，４１２…蓋本体、１４…スプーン、１６…柄部、１８…湾曲部、２０，１２０…リブ、２２…切欠部、２４，１２４…周回リブ、２６…切欠リブ、２８，２２８，３２８…蓋部、３０…開口部、３４…液体保持部、３６…当接面、３８…載置面、２３０，３３０…窪み部、４３２…リブ切欠部。
【図１】
0003173069.tif 000003
【図２】
0003173069.tif 000004
【図３】
0003173069.tif 000005
【図４】
0003173069.tif 000006
【図５】
0003173069.tif 000007
【図６】
0003173069.tif 000008
【図７】
0003173069.tif 000009
【図８】
0003173069.tif 000010
【図９】
0003173069.tif 000011